(57)【要約】【課題】  ユーザーが位置している場所に合った太陽の位置の表示を提供する。【解決手段】  計時器用ムーブメント（１００）と、及び日付とユーザーの地理的位置を用いて日の出と日没を示す指示手段とを有する計時器（１０）であって、指示手段は、現在の日付を計算又は受信する第１の手段と、地理的位置の信号を受信する第２の手段と、及び太陽（２）の描写を支持している盤（１）とを有する。この盤（１）は、この盤（１）の中心を通り抜ける軸のまわりを回転することができるように構成している。本発明によると、日の出と日没を示す指示手段は、盤（１）の上にて動くように構成している可動な水平線（４）を有し、この水平線（４）は、この水平線（４）に対する太陽（２）の位置を示すように構成している。【選択図】  図１
2020067449.tif 000002
【特許請求の範囲】
【請求項１】
計時器用ムーブメント（１００）と、及び日付とユーザーの地理的位置を用いて日の出と日没を示す指示手段とを有する計時器（１０）であって、
前記指示手段は、現在の日付を計算又は受信する第１の手段と、
地理的位置の信号及び／又は特定の場所が属する地球の半球を示している信号を受信する第２の手段と、及び
太陽（２）の描写を支持している盤（１）と
を有し、
この盤（１）は、この盤（１）の中心を通り抜ける軸のまわりを回転することができるように構成しており、
前記日の出と日没を示す指示手段は、前記盤（１）の上にて動くように構成している可動な水平線（４）を有し、この水平線（４）は、この水平線（４）に対する前記太陽（２）の位置を示すように構成している
ことを特徴とする計時器（１０）。
【請求項２】
前記可動な水平線（４）は、前記計時器用ムーブメントに運動学的に接続されているピニオン（６）と連係するように構成しているラック（５）を有する
ことを特徴とする請求項１に記載の計時器（１０）。
【請求項３】
前記可動な水平線（４）と前記ラック（５）は、一体的にされている
ことを特徴とする請求項２に記載の計時器（１０）。
【請求項４】
前記ラック（５）は、前記計時器用ムーブメントに形成された溝（８）内を摺動するピン（７）によって並進運動するようにガイドされる
ことを特徴とする請求項２又は３に記載の計時器。
【請求項５】
前記水平線（４）は不透明である
ことを特徴とする請求項１〜４のいずれかに記載の計時器（１０）。
【請求項６】
前記水平線（４）は半透明である
ことを特徴とする請求項１〜４のいずれかに記載の計時器（１０）。
【請求項７】
前記現在の日付を計算又は受信する第１の手段は、人工衛星によって、又は前記腕時計（１０）のユーザーによって運ばれるように構成している移動体テレフォニーデバイスによって、送信される信号を受信する手段である
ことを特徴とする請求項１〜６のいずれかに記載の計時器。
【請求項８】
前記地理的位置の信号及び／又は特定の場所が属する地球の半球を示している信号を受信する第２の手段は、人工衛星によって、又は前記腕時計（１０）のユーザーによって運ばれるように構成している移動体テレフォニーデバイスによって、送信される信号を受信する手段である
ことを特徴とする請求項１〜７のいずれかに記載の計時器。
【請求項９】
腕時計（１０）である請求項１に記載の計時器と、及び
地理的位置の信号又は情報、及び／又は特定の場所が属する地球の半球を示している信号又は情報、及び／又は日付の信号又は情報を前記腕時計へと供給するように構成している移動体テレフォニーデバイスと
を有するポータブルアセンブリー。
【発明の詳細な説明】
【技術分野】
【０００１】
本発明は、現在の日付を計算又は受信する第１の手段と、及び地理的位置の信号を受信する第２の手段とを有する腕時計のための日没と日の出の表示デバイスを有する計時器に関する。
【０００２】
本発明は、さらに、このような腕時計を有するポータブルアセンブリー、及び前記腕時計に地理的位置及び／又は日付の信号又は情報を供給するように構成している移動体テレフォニーデバイスに関する。
【背景技術】
【０００３】
日中の長さとは、東で日の出の際に太陽の上部が水平線の上に現われた時点から西で日没の際に太陽が水平線の下に隠れるまでの日ごとの時間のことである。時間にかかわらず、地球表面の半分が常に太陽によって照らされており、残りの半分が暗くなっている。
【０００４】
一般的には、日中の長さは、年を通して変わり、緯度によっても変わる。この変化は、黄道面に対する地球の自転軸の傾きに起因している。定義によると、この傾きは、±２３°２７’の範囲である熱帯地方の緯度に対応している。周知のように、日中の長さは、北半球では１２月の至、南半球では６月の至にて最も短くなる。昼夜平分時では、地球のどこにおいても日中の長さと夜間の長さが等しい。
【０００５】
日の出と日没を表示する機能を備えたほとんどの腕時計は、温帯地方に適している表示を提供するが、この表示は熱帯地方や赤道付近の地方における水平線に対する太陽の位置には合わない。
【発明の概要】
【発明が解決しようとする課題】
【０００６】
本発明は、ユーザーが位置している場所に合った太陽の位置の表示を提供することを提案するものである。
【課題を解決するための手段】
【０００７】
このために、本発明は、請求項１に記載の腕時計のための太陽の位置を表示するデバイスを有する腕時計に関する。
【０００８】
本発明は、このような腕時計及び移動体テレフォニーデバイスを有するポータブルアセンブリーに関する。これは、地理的位置の信号又は情報、及び／又は特定の場所が属する地球の半球を示す信号又は情報、及び／又は日付の信号又は情報を前記腕時計が備えるこのようなデバイスへと供給するように構成している。
【０００９】
添付図面を参照しながら下記の詳細な説明を読むことで、本発明の他の特徴や利点を理解することができるであろう。
【図面の簡単な説明】
【００１０】
【図１】本発明に係る腕時計の斜視図である。
【図２】本発明に係る腕時計の日没と日の出の表示デバイスについての図１と同様な斜視図である。
【発明を実施するための形態】
【００１１】
したがって、本発明は、ユーザーが位置している場所における水平線に対する太陽の位置を表示するための日の出と日没の表示デバイスを有する腕時計１０に関する。
【００１２】
デバイス１０は、現在の日付を計算又は受信する第１の手段と、及び地理的位置の信号を受信する第２の手段とを有する。
【００１３】
腕時計は、さらに、少なくとも１つの太陽２の描写がある表示盤１と、及び２４時間で１回転のレートで盤１を駆動する第１の駆動手段とを有する。
【００１４】
特に、第１の駆動手段は、２４時間で完全な１回転をするレートで回転するように盤６を駆動する少なくとも第１の電気モーターを有する。モーターは、適切な運動学的連鎖を介して盤１を直接又は間接的に駆動できる。
【００１５】
本発明によると、腕時計１０には可動な水平線４があり、これに対して盤１が動くことができる。特に、この可動な水平線４は、盤１の一部に重なり合っているカバーを形成しており、水平線４は、盤１に対して並進運動をして、空における太陽の位置の現実的な描写を提供することができる。
【００１６】
位置計算手段は、好ましいことに、第２の地理的位置の信号受信手段を利用して、その場所の緯度を判断することができる。このパラメーターを用いることによって、太陽の位置をはるかに現実的に描写する表示を提供することができる。
【００１７】
好ましくは、位置計算手段は、デバイスが位置している場所の緯度を計算し、このデバイスが備える第２の駆動手段を制御して、太陽の描写を支持している盤に対して可動な水平線を動かすように構成している。
【００１８】
本発明によると、この第２の駆動手段は、水平線４と一体的にマウントされたラック５を有し、このラック５は、モーターにつながれたピニオン６によって駆動されて、水平線４を動かす。
【００１９】
図２に示しているように、ラック５は、腕時計１０に形成された溝８内を摺動するピン７によって並進運動するようにガイドされる。
【００２０】
第１の変種において、水平線４は、ユーザーが位置している場所では夜であるときに太陽の描写を隠すために不透明である。
【００２１】
第２の変種において、ユーザーが自身の腕時計１０を調べることによって日の出を予測できるように、水平線４は半透明である。
【００２２】
図１及び２に示しているように、太陽の位置を表示するデバイスは、表盤１１の下にマウントされ、水平線４に対する太陽２の位置は、表盤に形成された円状の開口１２を通して見ることができる。
【００２３】
現実的な表示のために緯度を考慮すると、水平線が太陽盤に対して可動であるために、日相表示において一般的にはうまく扱われていない機能を提供することが可能になる。
【００２４】
好ましくは、現在日付計算又は受信する第１の手段は、人工衛星によって、又は腕時計１０のユーザーによって運ばれるように構成している移動体テレフォニーデバイスによって、送信される信号を受信する手段である。
【００２５】
１つの変種において、地理的位置の信号及び／又は特定の場所が属する地球の半球を示している信号を受信する第２の手段は、人工衛星によって、又は腕時計１０のユーザーによって運ばれるように構成している移動体テレフォニーデバイスによって、送信された信号を受信する手段である。
【００２６】
このような移動体テレフォニーデバイスは、「スマートフォン」又は同等なものによって構成していることができ、この移動体テレフォニーデバイスと腕時計１０００が情報を交換することができる。これは、例えば、Bluetooth（登録商標）接続によって、ユーザーによる行為を必ずしも伴わずに行われる。
【００２７】
ユーザーの場所は、以下のような様々な技術によって移動体テレフォニーデバイスに知られる。
−  経度と緯度を与えるＧＰＳ
−  ＧＰＳと、及び電話が接続されるセルラーネットワークとの両方によって判断される、国における存在
【００２８】
移動体テレフォニーデバイスは、この情報を以下のような異なるフォーマットで送信することができる。
−  緯度：北半球では正−南半球では負
−  いくらかの符号化ビット群（２ビット）でのフォーマット：北半球−南半球−赤道−極
−  日光節約時間の補正をする必要があるかを判断するために用いられる国コード
【００２９】
アルゴリズムによって、日付と地理的位置に応じて日の出と日没を正確に予測して、したがって、太陽が一定の速さで回転している状況で、日付と地理的位置に応じて水平線４の位置を動かすことが可能になる。
【００３０】
本発明は、さらに、このような腕時計１０を有するポータブルアセンブリー、そして、地理的位置の信号又は情報、及び／又は特定の場所が属する地球の半球を示している情報又は信号、及び／又は日付の信号又は情報を、腕時計１０へと供給するように構成している移動体テレフォニーデバイスに関する。
【００３１】
移動体テレフォニーデバイス１００と腕時計１０００の間の接続によって、ユーザーの介在なしで、自動的な調整が可能になる。
【符号の説明】
【００３２】
１  盤
２  太陽
４  水平線
５  ラック
６  ピニオン
７  ピン
８  溝
１０  計時器
１００  ムーブメント
【図１】
2020067449.tif 000003
【図２】
2020067449.tif 000004
【外国語明細書】
2020067449000001.pdf